(57)【要約】【課題】  遊技球が遊技盤面の所定の釘に当ることを、所定の釘に検知部を直接設けることなく検知できるようにし、この検知結果を遊技の演出に反映させることで、パチンコ遊技の興趣を増大することができる遊技球検知装置を提供する。更に、検知部を遊技盤面より突出させず遊技球を検知部と非接触で検知でき、更に、検知部を小型で安価に形成する。【解決手段】遊技機１における遊技盤面２ａを通過する遊技球６を検知するための遊技球検知装置１０であって、その検知部１２を、所定の釘５Ａに接触する遊技球６の通過部に設け、かつ、前記所定の釘より離間して設ける。検知部を遊技盤面より突出しないように設ける。【選択図】図２
2008023186.tif 000002
【特許請求の範囲】
【請求項１】
遊技機における遊技盤面を通過する遊技球を検知するための遊技球検知装置であって、その検知部を、所定の釘に接触する遊技球の通過部に設け、かつ、前記所定の釘より離間して設けたことを特徴とする遊技球検知装置。
【請求項２】
前記検知部を遊技盤面より突出しないように遊技盤に設けたことを特徴とする請求項１記載の遊技球検知装置。
【請求項３】
前記検知部をコア材に導線を巻回して形成し、該検知部を、遊技盤に形成した貫通穴に挿通して設けたことを特徴とする請求項１又は２記載の遊技球検知装置。
【請求項４】
前記検知部を、その中心が遊技盤面の所定の釘の外周面から５．５ｍｍ以内に位置するように配置したことを特徴とする請求項１又は２又は３記載の遊技球検知装置。
【請求項５】
前記検知部における遊技盤面側を被覆部材で被覆するとともに該被覆部材の表面を遊技盤面と同一面にしたことを特徴とする請求項１乃至４のいずれか１項に記載の遊技球検知装置。
【発明の詳細な説明】
【技術分野】
【０００１】
本発明は遊技球検知装置に関する。
【背景技術】
【０００２】
従来、パチンコ機において、その遊技盤面を落下する遊技球が入賞口に入った場合、その遊技球の通過をセンサで検知して、この検知信号により、賞球の払い出しを行ったり、遊技機や遊技盤面に設けられた電球などの装飾手段を点灯又は点滅したり、又はディスプレイの図柄を変動させて演出効果を高め、遊技の興趣を増大しているものがある。
【発明の開示】
【発明が解決しようとする課題】
【０００３】
ところで、パチンコ機においては、多数の釘のうちの所定の釘に遊技球を当てると、その釘に当った遊技球の入賞の確率が高くなることがある。そのため、遊技者は、前記の入賞の確率の高い所定の釘を狙って遊技球を弾球することがある。
【０００４】
このような弾球により遊技球が前記の所定の釘に当った場合に、遊技機や遊技盤面に設けられた電球などの装飾手段を点灯又は点滅させたり、ディスプレイの図柄を変動させたり、又は音を発して演出させると、遊技者に遊技球が前記の所定の釘に当ったことを知らせたり、興趣を高めたりすることができ、前記従来の入賞時のみでの演出に比べて一層興趣を高めることができる。
【０００５】
また、前記のように、所定の釘に遊技球が当ったことを検知する方法として、その所定の釘に、遊技球が当った衝撃を検知するセンサ検知部を直接設けることも考えられるが、このようにセンサ検知部を直接釘に設けると、釘の調整が困難になる上に、規制上の問題もある。
【０００６】
そこで本発明は、前記のような、遊技の興趣を高め、所定の釘に当る遊技球を、その所定の釘に検知部を直接設けることなく検知でき、また、遊技球の通過を阻害することなく検知でき、更に、安価に製造できる遊技球検知装置を提供することを目的とするものである。
【課題を解決するための手段】
【０００７】
前記の課題を解決するために、請求項１記載の発明は、遊技機における遊技盤面を通過する遊技球を検知するための遊技球検知装置であって、その検知部を、所定の釘に接触する遊技球の通過部に設け、かつ、前記所定の釘より離間して設けたことを特徴とするものである。
【０００８】
請求項２記載の発明は、請求項１記載の発明において、前記検知部を遊技盤面より突出しないように遊技盤に設けたことを特徴とするものである。
【０００９】
請求項３記載の発明は、請求項１又は２記載の発明において、前記検知部をコア材に導線を巻回して形成し、該検知部を、遊技盤に形成した貫通穴に挿通して設けたことを特徴とするものである。
【００１０】
請求項４記載の発明は、請求項１又は２又は３記載の発明において、前記検知部を、その中心が遊技盤面の所定の釘の外周面から５．５ｍｍ以内に位置するように配置したことを特徴とするものである。
【００１１】
請求項５記載の発明は、請求項１乃至４のいずれか１項に記載の発明において、前記検知部における遊技盤面側を被覆部材で被覆するとともに該被覆部材の表面を遊技盤面と同一面にしたことを特徴とするものである。
【発明の効果】
【００１２】
請求項１記載の発明によれば、遊技者が所定の釘を狙って弾球し、その遊技球が所定の釘に接触する通路を通過すると、検知部が遊技球を検知し、この検知信号に基づいて、電球を点灯、点滅したり、音を鳴したり、役物を作動して、演出を高めて興趣を高めることができる。更に、遊技盤面の所定の釘に遊技球が接触することを、所定の釘に検知部を取り付けることなく検知することができるため、釘の調整に支障なく、かつ、規制上の問題もなく検知部を設置することができる。
【００１３】
請求項２記載の発明によれば、検知部が遊技盤面より突出していないため、遊技盤における所定の釘に遊技球が当ったことを遊技球に対して非接触で検知でき、この検知部によって遊技球の飛翔経路を妨げることはない。また、検知部自体に遊技球が当らないため、検知部が磨耗したり、損傷したりすることもない。
【００１４】
請求項３記載の発明によれば、検知部をコア材に導線を巻いたセンサコイルで形成したことにより、検知部を小型に形成して設置スペースを小さくでき、かつ、安価に製造することができる。
【００１５】
請求項４記載の発明によれば、遊技盤面の所定の釘に遊技球が接触することを、より正確に検知することができる。
【００１６】
請求項５記載の発明によれば、検知部の表面を被覆部材で被覆して検知部を外部から視認できないようにすることができ、遊技盤面の美観を損ねることもなく、装置の存在を感じさせないようにして検知部を設置することができる。
【発明を実施するための最良の形態】
【００１７】
本発明を実施するための最良の形態を図に示す実施例に基づいて説明する。
【実施例１】
【００１８】
図１に示すように、遊技機（パチンコ機）１の遊技盤２上には、発射誘導レール３、入賞口部品４、釘５、役物などの各部品が、遊技盤２の表面（遊技盤面）から突出して設けられており、これら部品のうち入賞口部品４の孔には、入賞の遊技球６を検知するセンサが備え付けられている。該センサが入賞口部品４の孔を通過する遊技球６を検知することによって、この検知信号により遊技機１に備え付けられた表示カウント部７の起動や、賞球の払い出しなどが行われるようになっている。
【００１９】
また、図１及び図２において、遊技盤２の表面２ａ（以下遊技盤面２ａとも言う）に設けられた多数本の釘５のうちの所定の釘５Ａの近くには、本発明における遊技球検知装置１０の検知部１２と、可動役物９ａが設けられており、検知部１２の作動（検知信号）により装飾手段である電球８と、可動役物９ａが作動するようになっている。
【００２０】
前記遊技球検知装置１０について図３により説明する。
本実施例１の遊技球検知装置１０は、図３に示すように、前記遊技機１（パチンコ機）の遊技盤２に備えられた検知部１２と、これに接続されたアンプ部１３によって構成されている。
【００２１】
前記検知部１２は、図３に示すように、両端に鍔部１２ａを設けたフェライト等からなるコア材１２ｂと、該コア材１２ｂの両鍔部間に、螺旋状に巻きつけた導線１２ｃからなる円筒状のセンサコイルで形成されている。そのため、該検知部１２をセンサコイル１２ともいう。そして、この導線１２ｃに電流を流すと、センサコイル１２の周囲に磁場（磁束）が発生し、この磁場によって金属体を検知するようになっている。この検知範囲をＷ１で示す。なお、この磁場による検知範囲Ｗ１は模式的に球状に表している。
【００２２】
前記検知部（センサコイル）１２における導線１２ｃの両端はリード線１２ｄにより、遊技盤２の裏面などに設置されたアンプ部１３に配線されている。
【００２３】
前記アンプ部１３は、発信回路１３ａと増幅回路１３ｂによって構成されており、前記センサコイル１２の先端付近、すなわち、前記検知範囲Ｗ１内を金属体（金属製の遊技球６）が通過すると、電磁誘導作用により金属体である遊技球６に誘導電流が流れ、センサコイル１２のインダクタンスや損失が変化し、これにより、センサコイル１２に接続された発振回路１３ａの発振振幅が変化する。そしてこの変化を信号として検知して、増幅回路１３ｂによって信号を出力するようになっている。なお、アンプ部１３には調節手段が設けられており、この調節手段を操作することによって前記検知範囲Ｗ１を増減調節することができる。
【００２４】
また、アンプ部１３は、図示しない制御装置へ接続されており、前記アンプ部１３からの出力信号が、この制御装置へ入力されるようになっている。
【００２５】
前記制御装置は、前記信号が入力されると、遊技盤２に備え付けられた電球８ａなどの装飾手段や音響装置などを制御装置内のプログラムに従って、点滅させたり、鳴動させるなどして、演出効果を高めるとともに、前記可動役物９ａを作動させて、遊技球６を弾いて、入賞口部品４に入りやすくするようになっている。
【００２６】
前記検知部（センサコイル）１２は図２及び図４に示すように、遊技盤２の表面から裏面まで貫通して形成された直径数ｍｍ程度の円筒状の貫通穴２ｂに挿通されて、検知部（センサコイル）１２の先端面が遊技盤２の表面から突出しない状態で埋設され、適宜手段で遊技盤２に固定されている。この貫通穴２ｂにおける遊技盤２の表面側は必要に応じて非磁性材料からなる被覆部材（図示せず）で被覆して、検知部（センサコイル）１２が外部から視認されないようにしてもよい。なお、前記被覆部材を設ける場合は、その被覆部材の表面は遊技盤面２ａと同一平面にする。
【００２７】
そして、前記センサコイル１２の磁場の一部が図に示すように遊技盤面２ａ上に作用し、遊技球６を非接触で検知できるようになっている。
【００２８】
以上のように、センサコイル１２は、コア材１２ｂに導線１２ｃを巻き付けた簡単な構成であることから小型（細径）に、かつ、安価に形成でき、この小型のセンサコイル１２を埋設する前記貫通穴２ｂも小さく形成できる。そのため、センサコイル１２を遊技盤２に打ち込まれた所定の釘５Ａに対して至近距離、すなわち、所定の釘５Ａとセンサコイル１２との距離が遊技球６の半径に近い距離において設置することが可能となっている。
【００２９】
本実施例１では、検知部（センサコイル）１２の設置範囲Ｗ３を、検知部１２の中心（センサコイルの中心）が所定の釘５Ａの外周面から５．５ｍｍ離れた距離Ｌ１の円周上より内側の範囲としている。この距離は直径１１ｍｍの球体で形成された遊技球６の半径に相当する。また、図２に示すように、遊技盤２における釘５Ａの真上に検知部１２を設置して、遊技球６が釘５Ａの真上から鉛直方向に落下して釘５Ａに当った場合に、検知部１２の前方に遊技球６が重なるようになっている。
【００３０】
また、検知部１２の検知範囲Ｗ１は、所定の釘５Ａに接触する遊技球６を検知し、かつ、所定の釘５Ａを検知しない範囲に設定されており、金属体である釘５Ａが検知範囲Ｗ１内に入らないように、釘５Ａよりわずかに離れた範囲としている。この範囲Ｗ１は、前記アンプ部１３の調節手段を操作することによって調節することができ、本実施例ではこの範囲Ｗ１を検知部１２の中心からの半径（距離）Ｒが約４ｍｍになるように設定している。
【００３１】
すなわち、検知範囲は図４（ｄ）の破線で示す範囲Ｗ２（検知部１２の中心から半径約３ｍｍ）であってもよいが、遊技盤２の表面２ａを落下する遊技球６は必ずしも、遊技盤２の表面２ａに接するように落下するものばかりではない。実際には、遊技球６は図４（ｄ）の破線６ａで示すように、遊技盤２の表面２ａと多少の隙間を空けながら釘５Ａの側面を落下することが多く、その隙間を考慮し、前記の範囲Ｗ２より余裕を持たせた半径約４ｍｍの範囲内を検知範囲Ｗ１に設定する。この半径約４ｍｍの範囲Ｗ１であれば、検知部１２が前記のように５．５ｍｍ離れた所定の釘５Ａを検知しない。したがって、この距離約４ｍｍが釘５Ａへの遊技球６の当接、非当接を判別する検知範囲Ｗ１として好ましい。
【００３２】
以上の構造により、遊技球検知装置１０によって遊技球６が釘５Ａに当ったと同様の検知ができ、この検知信号を制御装置へ出力することで遊技機１に備えた装飾手段などを作動することができる。
【００３３】
次に使用状態について説明する。
まず、遊技者が遊技機１の図示しない遊技球発射ハンドルを回すと、遊技球６は弾球され、発射誘導レール３を伝いながら、遊技機１の遊技盤２の上部へ飛翔する。その後、遊技球６は多数本配置された釘５や風車や入賞口部品４などに当たりながら下方へ落下する。弾球された遊技球６のうち、図１のＡ部に示す所定の釘５Ａの上部近辺に落下した遊技球６は、その後、所定の釘５Ａに当る。
【００３４】
このとき、図２に示すように、遊技球６が釘５Ａの真上から釘５Ａに当る際には、その遊技球６は、釘５Ａの上方に設置した検知部１２の前を通り、検知範囲Ｗ１内を通過する。これにより、遊技球６が釘５Ａへ当ったものと検知する。
【００３５】
また、図５に示すように、遊技球６が所定の釘５Ａの左右側面に遊技球６の側面が接するように検知部１２に対して偏芯して落下した場合には、検知範囲Ｗ１内に遊技球６の一部が通過することになり、この遊技球６は下方の釘５Ａに当ったものとして検知部１２で検知される。
【００３６】
また、前記のように遊技球６が釘５Ａへ当ったものとして検知されると、制御装置にその検知信号が送られ、遊技盤２に取り付けられた電球８ａを点灯したり、点滅させたり、或いは音を発して、遊技者へ知らせる。更に、この検知信号により、図１に示す釘５Ａの下方近傍に設けられた可動役物９ａを破線状態から実線状態に揺動させ、遊技球６を入賞口部品４に入りやすく誘導する。
【００３７】
なお、前記の検知信号により、前記とは別の可動役物を作動してもよい。
以上のことから、本発明の遊技球検知装置１０は、遊技盤２における所定の釘５Ａに遊技球６が当ったことを検知でき、この検知によって電球８などの装飾手段や音響装置などを点滅させたり、鳴動させるなどして、興趣を一層高めることができる。
【００３８】
また、検知部１２が遊技盤２に埋設されて、遊技球６と非接触で遊技球６を検知できるため、この検知部１２の表面側を通る遊技球６の飛翔を妨げることはない。また、検知部１２自体に遊技球６が当らないため、検知部１２が磨耗したり、損傷したりすることもない。更に、貫通穴２ａの表面、すなわち、検出部１２における遊技盤面側を被覆部材で被覆して検知部１２を外部から視認できないようにすれば、遊技盤面２ａの美観を損ねることもなく、装置の存在を感じさせないようにして検知部１２を設置することができる。
【００３９】
また、検知部１２は、フェライト等からなるコア材１２ｂに導線１２ｃを巻いた簡単なセンサコイルで形成することにより、小型に形成して設置スペースを小さくでき、かつ、安価に製造することができる。更に、複数のセンサコイル１２を一つのアンプ部１３に接続できることから、遊技球検知装置１０を小型、安価に形成できる。
【実施例２】
【００４０】
図６は本発明の実施例２を示す。
本実施例２は、前記遊技球検知装置１０における検知部（センサコイル）１２の設置位置を、所定の釘の斜め上方向に設置したものである。例えば図１のＢ部に示すように、遊技盤２における上部に設けられた釘５Ｂに対して、遊技球６が釘５Ｂの左斜め上方から飛来し当る場合がある。この場合には、図６（ａ）に示すように、釘５Ｂを中心とする左斜め４５度方向の線上に前記の検知部（センサコイル）１２を設置する。
【００４１】
また、この検知部１２の釘５Ｂに対する位置関係及び検知範囲Ｗ１は、前記実施例１と同様である。これにより、斜め上方向から飛来して釘５Ｂに当る遊技球６の検知が可能になる。
【００４２】
前記のように遊技球６が釘５Ｂへ当接したものとして検知されると、前記と同様に制御装置にその検知信号が送られ、遊技盤２に取り付けられた電球８ｂの点灯や点滅を行ったり、更には、遊技盤２の表示カウント部７に設けられた可動役物９ｂを開揺動させ、遊技球６が中央の入賞口部品に入りやすく誘導される。
【００４３】
したがって、本実施例２においても前記実施例１と同様の作用、効果を発揮できる。
【実施例３】
【００４４】
図７は本発明の実施例３を示す。
本実施例３は、検知部（センサコイル）１２を２つ設置したものであり、図７に示すように、前記のような検知部１２の設置範囲Ｗ３において、所定の釘５Ｃの右斜め上方向と、釘５Ｃの左斜め上方向に、すなわち、左右両側に一つずつ検知部１２を設けたものである。また、検知部１２の釘５Ｃに対する位置関係及び、検知範囲Ｗ１は、前記実施例１と同様である。
【００４５】
この実施例３における前記２つの検知部１２，１２は、例えば図８に示すように１本のリード線１２ｄに直列に接続されてアンプ部１３の発振回路１３ａのセンサ入力端子に接続する。
【００４６】
本実施例３によれば、所定の釘５Ｃの左斜め上方及び右斜め上方から飛来する遊技球６を検知することができ、検知精度を高め、検知漏れを少なくすることができる。
【実施例４】
【００４７】
図９は本発明の実施例４を示す。
本実施例４は、前記検知部１２を４つ使用した例である。例えば、図１のＣ部に示すように、遊技盤２における上部に４本の所定の釘５Ｄを水平方向に配置し、この４本の所定の釘５Ｄの上部にそれぞれ対向して一つずつ検知部１２を設けた場合の例である。
【００４８】
また、検知部１２の所定の釘５Ｄに対する位置関係及び検知範囲Ｗ１は、前記実施例１と同様である。
【００４９】
この実施例４における前記４つの検知部１２のリード線２ｄは、図１０に示すように、それぞれ発振回路１３ａに設けられた４つのセンサ入力端子に並列的に接続している。これにより、４つの検知部１２のうち何れか一つの検知範囲Ｗ１を遊技球６が通過すれば、その通過を検知することができ、この検知信号を制御装置へ出力することができる。
【００５０】
なお、前記４つの検知部（センサコイル）１２は直列に接続してもよい。
前記検知信号により制御装置は、各々の所定の釘５Ｄに該当する電球８ｃを点灯させ、所定の釘５Ｄに遊技球６が当ったことを遊技者に知らせる。更には、遊技盤２の表示カウント部７に設けられた可動役物９ｂを開揺動させて、遊技球６が中央の入賞口部品４に入りやすく誘導することもできる。
【実施例５】
【００５１】
図１１は本発明の実施例５を示す。
本実施例５は図１１に示すように、所定の釘５Ｅの上部に、複数の釘５Ｆを並列に設けて遊技球６が通過する通路１４を形成したものにおいて、その通路１４の下部であって釘５Ｅの上部に検知部１２を設置したものである。また、検知部１２の釘５Ｅに対する位置関係及び、検知範囲Ｗ１は、前記実施例１と同様である。
【００５２】
検知部１２を前記のように配置することにより、所定の通路１４を通過した後に、所定の釘５Ｅに当る遊技球６を検知して、前記実施例１と同様の作用、効果を発揮させることができる。
【００５３】
なお、前記各実施例における検知部１２の検知範囲Ｗ１は、前記の範囲に限らず、所定の釘５Ａ〜５Ｅを検知しない範囲で、前記検知範囲Ｗ１である半径４ｍｍより広く設定してもよい。
【００５４】
逆に、必要に応じて、検知部１２の検知範囲Ｗ１を前記検知範囲Ｗ１である半径４ｍｍより狭く設定して、検知部１２と釘５Ａ〜５Ｅとの距離を５．５ｍｍより短くしてもよい。
【図面の簡単な説明】
【００５５】
【図１】本発明の検知部を設置した遊技盤面の実施例を示す図。
【図２】本発明の実施例１を示すもので、所定の釘の真上から遊技球が当った状態を示す図であり、（ａ）は正面図、（ｂ）は（ａ）の側断面図、（ｃ）は（ａ）において下から見た断面図。
【図３】本発明の実施例１における検知装置の回路図。
【図４】本発明の実施例１において、所定の釘の側面に遊技球が接するように通過した状態を示す図であり、（ａ）は正面図、（ｂ）は（ａ）の側断面図、（ｃ）は（ａ）において下から見た断面図、（ｄ）は（ｃ）の要部拡大図。
【図５】本発明の実施例１において、遊技球が所定の釘の両側を接して通過する状態を示す図で、（ａ）は正面図、（ｂ）は（ａ）において下から見た断面図。
【図６】本発明の実施例２を示すもので、（ａ）は正面図、（ｂ）は（ａ）の側断面図。
【図７】本発明の実施例３を示すもので、検知部を２個配置した図であり、（ａ）は正面図、（ｂ）は（ａ）の側断面図、（ｃ）は（ａ）において下から見た断面図。
【図８】本発明の実施例３における検知装置の回路図。
【図９】本発明の実施例４において、４つの所定の釘に対応して検知部を設けた状態を示す図であり、（ａ）は正面図、（ｂ）は（ａ）において下から見た断面図。
【図１０】本発明の実施例４における検知装置の回路図。
【図１１】本発明の実施例５を示すもので、並設した釘間の通路を遊技球が通過して所定の釘に当る状態を示す図であり、（ａ）は正面図、（ｂ）は（ａ）の側断面図、（ｃ）は（ａ）において下から見た断面図。
【符号の説明】
【００５６】
１    遊技機
２    遊技盤
２ａ  遊技盤面
２ｂ  貫通穴
５    釘
５Ａ〜５Ｅ  所定の釘
６    遊技球
１０  遊技球検知装置
１２  検知部
１２ｂ  コア材
１２ｃ  導線
１３    アンプ部
１２ｄ  リード線
【図１】
2008023186.tif 000003
【図２】
2008023186.tif 000004
【図３】
2008023186.tif 000005
【図４】
2008023186.tif 000006
【図５】
2008023186.tif 000007
【図６】
2008023186.tif 000008
【図７】
2008023186.tif 000009
【図８】
2008023186.tif 000010
【図９】
2008023186.tif 000011
【図１０】
2008023186.tif 000012
【図１１】
2008023186.tif 000013